(57)【要約】【課題】  グランド部の面積を小さくし、しかもグランドとして十分な面積を確保できるアンテナの取付構造を提供することにある。【解決手段】  放射素子部とグランド部とを備えたアンテナＡを携帯端末に取り付けるアンテナの取付構造において、携帯端末の金属筐体３２とアンテナＡのグランド部１２とを金属テープ３１で接続したものである。【選択図】  図２
2006115088.tif 000002
【特許請求の範囲】
【請求項１】
放射素子部とグランド部とを備えたアンテナを携帯端末に取り付けるアンテナの取付構造において、携帯端末の金属筐体とアンテナのグランド部とを金属テープで接続したことを特徴とするアンテナの取付構造。
【請求項２】
放射素子部とグランド部とを備えたアンテナを携帯端末に取り付けるアンテナの取付構造において、携帯端末の樹脂からなる筐体に面積の大きな金属テープを貼り付け、その金属テープとアンテナのグランド部とを接続したことを特徴とするアンテナの取付構造。
【請求項３】
グランド部を細長に形成し、そのグランド部に凹状の溝部を形成し、その溝部の一側の壁から他方の壁に向けて放射素子部を形成し、他方の壁に、その放射素子部と所定のギャップを介して容量結合する容量結合片部を形成してアンテナを構成した請求項１又は２記載のアンテナの取付構造。
【請求項４】
グランド部の両端部に取付穴を形成し、その取付穴にネジを挿入すると共にそのネジを携帯端末の筐体にねじ込んでアンテナを取り付ける請求項１〜３いずれかに記載のアンテナの取付構造。
【請求項５】
グランド部の両端部を除いて、グランド部の中央と放射素子の両面をポリイミド樹脂などのフィルムをラミネートし、そのグランド部の端部に金属テープを接続する請求項１〜４いずれかに記載のアンテナの取付構造。
【発明の詳細な説明】
【技術分野】
【０００１】
本発明は、ノートパソコン等の携帯端末の筐体に内蔵するアンテナに係り、特に、アンテナを筐体に取り付けるためのアンテナの取付構造に関するものである。
【背景技術】
【０００２】
ノートパソコン（ノートＰＣ）やＰＤＡ等の携帯端末で、無線ＬＡＮ（ＩＥＥＥ  ８０２．１１ａ／ｂ／ｇ）が普及し始めている。
【０００３】
この無線ＬＡＮは、５ＧＨｚ帯を使用する８０２．１１ａと、２．４ＧＨｚ帯を使用する８０２．１１ｂ／ｇの規格があり、無線ＬＡＮ用のアンテナとしては、これら２．４ＧＨｚ帯と５ＧＨｚ帯のデュアルバンド発振が可能な平板アンテナが求められて来ている。
【０００４】
従来、平板アンテナとしては、特許文献１に示されるように、リードフレームを打ち抜いてグランド部と放射素子部を形成した平板アンテナや、特許文献２に示されるように、絶縁性基板の両面に形成した導体膜で逆Ｆアンテナを形成したアンテナ装置などがある。
【０００５】
【特許文献１】特開２００３−１５２４２９号公報
【特許文献２】特開２００３−８３２５号公報
【発明の開示】
【発明が解決しようとする課題】
【０００６】
ところで、これらアンテナは、放射素子部とグランド部とを備え、放射素子部とグランド部間に給電を行えば、それ自体でアンテナとして機能する。しかし、グランド部は、放射素子に対して、グランド部をアース電位に保つには、グランド部は十分な面積を必要とするため、アンテナ自体をさらに小型にすることはできない。
【０００７】
このアンテナのグランド部の面積を小さく、すなわちグランド部の幅（又は高さ）を小さくすれば、携帯用端末のディスプレーの外周枠の裏面に取り付けることが可能であり、携帯端末に対する取付位置の自由度が向上するが、グランド部の面積が小さいと上述したようにアンテナとして機能しない問題がある。
【０００８】
このグランド部は、その面積が小さくても、金属筐体等に取り付ることができれば、金属筐体が実質的にグランドの機能を果たすため、グランド部の面積を小さくできるが、携帯端末に取り付けるアンテナの周囲が、ＡＢＳ樹脂などの筐体で、金属筐体が設けられていない場合にはアンテナとして機能しない問題がある。
【０００９】
本発明の目的は、グランド部の面積を小さくし、しかもグランドとして十分な面積を確保できるアンテナの取付構造を提供することにある。
【課題を解決するための手段】
【００１０】
上記の目的を達成するために、請求項１の発明は、放射素子部とグランド部とを備えたアンテナを携帯端末に取り付けるアンテナの取付構造において、携帯端末の金属筐体とアンテナのグランド部とを金属テープで接続したアンテナの取付構造である。
【００１１】
請求項２の発明は、放射素子部とグランド部とを備えたアンテナを携帯端末に取り付けるアンテナの取付構造において、携帯端末の樹脂からなる筐体に面積の大きな金属テープを貼り付け、その金属テープとアンテナのグランド部とを接続したアンテナの取付構造である。
【００１２】
請求項３の発明は、グランド部を細長に形成し、そのグランド部に凹状の溝部を形成し、その溝部の一側の壁から他方の壁に向けて放射素子部を形成し、他方の壁に、その放射素子部と所定のギャップを介して容量結合する容量結合片部を形成してアンテナを構成した請求項１又は２記載のアンテナの取付構造である。
【００１３】
請求項４の発明は、グランド部の両端部に取付穴を形成し、その取付穴にネジを挿入すると共にそのネジを携帯端末のカバーにねじ込んでアンテナを取り付ける請求項１〜３いずれかに記載のアンテナの取付構造である。
【００１４】
請求項５の発明は、グランド部の両端部を除いて、グランド部の中央と放射素子の両面をポリイミド樹脂などのフィルムをラミネートし、そのグランド部の端部に金属テープを接続する請求項１〜４いずれかに記載のアンテナの取付構造である。
【発明を実施するための最良の形態】
【００１５】
以下本発明の実施形態を添付図面により説明する。
【００１６】
図１は、本発明の取り付けに用いるアンテナＡの一実施の形態を示し、図１（ａ）は、リードフレームからプレスで打ち抜いた状態の展開図を示し、図１（ｂ）はプレス後にグランド部を折り曲げて形成したアンテナＡの正面図である。
【００１７】
図１において、１０は、銅板からなる細長な導体平板で、その導体平板１０の両端部を除いた中央の表裏にポリイミド樹脂などのフィルム１１、１１がラミネートされ、図１（ａ）に示すように、プレス打ち抜きにより、細長なグランド部１２と、２．４ＧＨｚ帯のモノポールアンテナを構成する第一放射素子部１３と、５ＧＨｚ帯のモノポールアンテナを構成する第二放射素子部１４と、５ＧＨｚ帯のループアンテナを構成する第二ループ素子部１５とが形成される。
【００１８】
グランド部１２は、その中央部がフィルム１１でラミネートされ、両端部にフィルム１１がラミネートされていない取付部１６を有し、グランド部１２が折り曲げ線１７で折り曲げられ、取付部１６と一体の主グランド部１８とその主グランド部１８と連続し、折り曲げ線１７から起立されるグランド折り曲げ部１９からなる。主グランド部１８の両側の取付部１６には、図２に示すようにＡＢＳ樹脂などからなる筐体２０に、ネジ２１でネジ止めする取付穴２２ａ，２２ｂが形成され、その一方の取付穴２２ｂは、長穴に形成されている。
【００１９】
主グランド部１８の中央部には側壁２３ａ、２３ｂ、底壁２３ｃで区画される凹状の溝部２３が形成され、その溝部２３の一方の壁２３ａから他方の壁２３ｂに向けてモノポールアンテナ形状の第一放射素子部１３が形成され、他方の壁２３ｂには、第一放射素子部１３の先端に向けてギャップｇを介して容量結合するための容量結合片部２４が形成される。
【００２０】
第一放射素子部１３の溝部２３側には、モノポールアンテナ形状の第二放射素子部１４が形成される。この第二放射素子部１４は、第一放射素子部１３の基部から逆Ｌ字状に形成され、先端部１４ａが溝部２３内に位置し、第一放射素子部１３と所定の間隔ｄ離れるように形成され、また途中に放射特性を調整するための段部１４ｂが形成される。
【００２１】
この段部１４ｂの後端側と溝部２３の底壁２３ｃに掛けてループ溝２５が形成されて第二ループ素子部１５が形成される。
【００２２】
段部１４ｂの後端部には、給電部２６が形成され、ループ溝２５に位置して底壁２３ｃには、グランド接続片２７が形成される。
【００２３】
この給電部２６には、同軸ケーブル２８の内導体２９が半田付けされ、グランド接続片２７には、同軸ケーブル２８の外導体３０が半田付けされる。
【００２４】
第一放射素子部１３は、幅が１ｍｍ程度で、給電部２６から第一放射素子部１３の長さが、２．４ＧＨｚの１／４波長程度に形成され、容量結合片部２４の幅は１ｍｍ程度、長さは８ｍｍ程度、第一放射素子部１３と容量結合片部２４のギャップｇは、１ｍｍ程度に形成される。
【００２５】
第二放射素子部１４は、第一放射素子部１３との間隔ｄが１ｍｍ程度に離れるように、また給電部２６から先端部１４ａまでの長さが５ＧＨｚの１／４波長程度に形成される。さらに第二ループ素子部１５の給電部２６からグランド接続片２７までのループ溝２５の長さは５ＧＨｚの１／４波長程度になるように形成される。
【００２６】
このアンテナＡの携帯端末の筐体２０への取付は、図２に示すように、ネジ２１を取付部１６の取付穴２２ａ，２２ｂに挿入し、アンテナ取付位置となるディスプレイの周囲となる枠の筐体２０にネジ穴（図示せず）を形成しておき、そのネジ穴にねじ込むことで取り付ける。このアンテナＡは、ディスプレイの上方で左右一対取り付ける。
【００２７】
このアンテナＡを取り付けた後、筐体２０に設けられている金属筐体３２とアンテナＡの取付部１６とを金属テープ（銅テープ）３１で貼り付けることで、取付部１６と金属筐体３２とを電気的に接続して取付を完了する。
【００２８】
この金属テープ３１は、取付部１６の両方に設けてもいずれか一方に設けてもよい。さらに、取付部１６と金属筐体３２とを金属テープ３１で接続するにおいて、図示のように、取付穴２２ａ，２２ｂに金属テープ３１を位置させ、ネジ２１にて金属テープ３１と取付部１６とを接続するようにしてもよい。
【００２９】
以上において、第一放射素子部１３からは、共振周波数２．４ＧＨｚ帯が、第二放射素子部１４及び第二ループ素子部１５からは５ＧＨｚ帯が発振される。この際、グランド部１２は、その面積が小さく形成されていても、取付部１６から金属テープ３１を介して金属筐体３２に接続されているため、グランドとしての機能を果たしアンテナとして十分に機能する。
【００３０】
また、第一放射素子部１３は、金属筐体３２の近くに取り付けられ、通常はその影響を受けるが、グランド部１２に接続された容量結合片２４と容量結合しているため、第一放射素子部１３の放射特性が金属筐体３２に影響されずに予め設定した特性を維持できる。また第二放射素子部１４は、第一放射素子部１３より発振波長が短く、かつグランド部１２の溝部２３内に位置するため、同じく予め設定した特性を維持できる。さらに第二ループ素子部１５は、５ＧＨｚ帯の共振波長帯域を広げることができる。
【００３１】
図４は、本発明のアンテナの特性を示したもので、図４（ａ）は、周波数とリターンロスの関係を、図４（ｂ）は周波数とＶＳＷＲ（電圧定在波比）の関係を示したものであり、また図５（ａ）は２．４ＧＨｚ帯の平均利得を、図５（ｂ）は５ＧＨｚ帯の平均利得特性を示したものであり、２．４ＧＨｚ帯、５ＧＨｚ帯とも良好なアンテナ特性が得られている。
【００３２】
図３は、本発明の他の実施の形態を示したものである。
【００３３】
本実施の形態では、ディスプレイ３４上の筐体２０に金属筐体がない場合の例を示したもので、図３（ａ）に示すように、アンテナＡ（図では詳細な形状は示していないが図１（ｂ）に示したアンテナ）を取り付ける位置のネジ穴３５に位置して、面積の大きな金属テープ（銅テープ）３３を貼り付け、そのネジ穴３５にアンテナＡをネジ２１で取り付けることで、グランド部１２の取付部１６と金属テープ３３とが電気的に接続されて面積の大きなグランドとなりアンテナとして機能できるようにしたものである。
【００３４】
この形態においては、金属テープ３３の面積は、取付時に自由に変更できるため、アンテナ特性のチューニングがより確実に行える。
【００３５】
なお、図３では、取付部１６の一方に金属テープ３３を設ける例を示しているが、両方に金属テープ３３を取り付けるようにしてもよい。
【００３６】
以上のように、本発明では、金属テープ３１を用いてグランド部１２を金属筐体３２に接続したり、金属テープ３３自体をグランドとすることで、金属筐体がある場合でもない場合でも、共通のアンテナを用いて取り付けることができ、しかもアンテナの特性を発揮することが可能となる。
【図面の簡単な説明】
【００３７】
【図１】本発明におけるアンテナの一実施の形態を示す図である。
【図２】図１のアンテナを筐体に取り付けた状態を示す図である。
【図３】本発明の他の実施の形態を示す図である。
【図４】本発明のアンテナの周波数特性を示す図である。
【図５】本発明において、２．４ＧＨｚ帯と５ＧＨｚ帯の平均利得特性を示す図である。
【符号の説明】
【００３８】
１２  グランド部
１３  第一放射素子部
１４  第二放射素子部
１５  第二ループ素子部
１６  取付部
２０  筐体
２４  容量結合片
３１、３３  金属テープ
【図１】
2006115088.tif 000003
【図２】
2006115088.tif 000004
【図３】
2006115088.tif 000005
【図４】
2006115088.tif 000006
【図５】
2006115088.tif 000007